(57)【特許請求の範囲】
【請求項１】
一枚の板紙に孔開け加工部、筋押し加工部、切り込み加工部、ミシン目加工部を施し、綴じ込み用端部のみ一枚なるように、
前記切り込み加工部より折り込み、
前記筋押し加工部の内側に薄板状記憶記憶媒体を位置させ、
前記筋押し加工部の外側三方を貼着してなり、
前記綴じ込み用端部と直交する方向の出し入れ口部はミシン目加工部の端部側で貼着し、
前記綴じ込み用端部に切り取り用ミシン目加工部を施し、さらに前記綴じ込み用端部の剛性を小さくするために複数の開口を設けた
ことを特徴とする薄板状記憶媒体収納体。
【請求項２】
前記切り込み加工部と出し入れ口部のミシン目加工部の交差点に小穴を設け、前記出し入れ口部のミシン目加工部を切り取り易くしたことを特徴とする請求項１記載の薄板状記憶媒体収納体。
【請求項３】
前記請求項１乃至請求項２のいずれか一つの薄板状記憶媒体収納体を綴じ込んだ冊子体。
【発明の詳細な説明】
【０００１】
【発明の属する技術分野】
本発明は、板紙を使用した全て紙製の薄板状記憶媒体の収納体及びそれを綴じ込んだ冊子体に関する。
【０００２】
【従来の技術】
従来技術は、図８、図９に示すような記録媒体収納体１４が知られている。
図８と図９は表裏の関係にある。この記録媒体収納体１４は、板紙を２枚合わせ、周囲を貼着し間にコンパクトディスク１６を収納している。そして綴じ込み用端部６で無線綴じ本に綴じ込んであり、切り込み加工部１５で本より切り離し、出し入れ口部の切り込み１７を切り取り、コンパクトディスク１６を取り出す。孔開け加工部２よりコンパクトディスク１６が見えるようになっている。
【０００３】
しかし、本のような冊子体に綴じ込んだとき、綴じ込み用端部６の部分も板紙が２枚になっていて、本を読もうとすると綴じ込み用端部６の剛性により読みにくいという問題があった。
【０００４】
【発明が解決しようとする課題】
本発明は、上記問題点を解決すべく、冊子体に綴じ込んでも綴じ込み用端部の剛性が小さくフレキシブルな薄板状記憶媒体収納体及びそれを綴じ込んだ冊子体を提供することを課題とする。
【０００５】
【課題を解決するための手段】
請求項１に記載の発明は、一枚の板紙に孔開け加工部、筋押し加工部、切り込み加工部、ミシン目加工部を施し、綴じ込み用端部のみ一枚なるように、前記切り込み加工部より折り込み、前記筋押し加工部の内側に薄板状記憶記憶媒体を位置させ、前記筋押し加工部の外側三方を貼着してなり、前記綴じ込み用端部と直交する方向の出し入れ口部はミシン目加工部の端部側で貼着し、前記綴じ込み用端部に切り取り用ミシン目加工部を施し、さらに前記綴じ込み用端部の剛性を小さくするために複数の開口を設けたことを特徴とする薄板状記憶媒体収納体である。
このような構成としたので、綴じ込み用端部が一枚の厚さになり、剛性が小さくフレキシブルになると共に、切り離しが容易になる。また、出し入れ口のミシン目加工部から切り取ることにより、薄板状記憶媒体を容易に出し入れできる。
【０００６】
請求項２に記載の発明は、前記切り込み加工部と出し入れ口部のミシン目加工部の交差点に小穴を設け、前記出し入れ口部のミシン目加工部を切り取り易くしたことを特徴とする請求項１記載の薄板状記憶媒体収納体である。
このような構成としたので、出し入れ口部分の切り取りが容易になった。
【０００９】
請求項３の発明は、前記請求項１又は請求項２のいずれか一つの薄板状記憶媒体収納体を綴じ込んだ冊子体である。
このような構成としたので、冊子体を読むとき薄板状記憶媒体収納体の存在する影響を小さくすることができる。
【００１０】
【発明の実施の形態】
以下、本発明を図面に基づき詳細に説明する。
図１は、本願発明の一実施の形態を示す表面の説明図である。１は薄板状記憶媒体収納体、２は孔開け加工部、３は筋押し加工部、４は切り込み加工部、５は薄板状記憶媒体、６は綴じ込み用端部、７，８はミシン目加工部、９は小穴である。図２は、図１の裏面の説明図である。
【００１１】
ここで、薄板状記憶媒体５としては、コンパクトディスク、光ディスク、
磁気ディスク、光磁気ディスク、レーザディスク等があげられる。
【００１２】
板紙としては市販のコートボール、ノーコートボール、特殊マニラ等が使用できる。ある程度の剛性があれば使用可能であるが、１９０グラム／平方メートル〜４００グラム／平方メートルの範囲にあるものが好ましい。
１９０グラム／平方メートルより軽いと剛性が小さく薄板状記憶媒体の保護という作用がなくなり、４００グラム／平方メートルを超えて重いと、冊子体（本、雑誌、書籍、パンフレットカタログ等）を見るとき剛性が大きすぎフレキシブルでなく、冊子体が読みにくい。
【００１３】
綴じ込み用端部６の部分のみが板紙１枚の厚さであり、薄板状記憶媒体５の収納部分は板紙２枚で挟んである。筋押し加工部３は薄板状記憶媒体５の収納位置を示し、その範囲の中に薄板状記憶媒体５をセットする。図の実施の形態では、コンパクトディスクを例としている。コンパクトディスクは記録面が不織布で反対面が透明な袋に入れてもよい。孔開け加工部２はコンパクトディスクより小さく、タイトル等が見えるように形成する。
小穴９はミシン目加工部７を切り取り易くするために設ける。ミシン目加工部８は板紙１枚の綴じ込み用端部の部分に設けられ、剛性の低下と冊子体から切り離すことを容易にする。
【００１４】
図３は、板紙に孔開け加工、筋押し加工、切り込み加工、ミシン目加工を施した状態を示す展開説明図である。図４は、図３に貼着部１１を斜線で示した説明図である。この状態で薄板状記憶媒体を筋押し加工部の内側にセットし、切り込み加工部４で折り曲げ貼着部同士を接着する。貼着部１１は図に限定されず、部分的でもよく、薄板状記憶媒体が封入され、ミシン目加工部８を切り取ったとき出し入れ可能となればよい。
【００１５】
図５は図１の薄板状記憶媒体収納体１の綴じ込み用端部６に複数の開口１２を設けた説明図である。これにより、綴じ込み用端部の剛性が下がり、よりフレキシブルになり、冊子体に綴じ込んだときに読み易くなる。
【００１６】
図６は冊子体１３に図１の薄板状記憶媒体収納体１を綴じ込んだ状態を示す説明図である。綴じ込み用端部が板紙１枚分の厚さで、ミシン目加工部もあり、フレキシブルであり、読み易い。図７は図５の薄板状記憶媒体収納体１を綴じ込んだ状態を示す説明図である。図６の綴じ込み用端部に複数の開口を設けたので、さらにフレキシブルとなり、読み易くなる。
【００１７】
以上の説明は一枚の板紙から一つ製造するように説明してきたが、大きな板紙に何面かを割り付け、印刷、各種の加工部の加工、断裁または印刷、断裁、各種加工部の加工の順に行なってもよい。
【００１８】
【実施例】
＜実施例１＞
菊全判のコートボール（２７０グラム／平方メートル）を用いて、図３の形態のものを６面付けにレイアウトした。コート面に平台枚葉オフセット印刷機（４色）で印刷し、各種加工を行ない、１面毎に断裁した。
これに、コンパクトディスクを記録面が不織布で反対面が透明な袋に入れ、図４のように貼着部に接着剤を塗布して、筋押し加工部にコンパクトディスクをセットし、切り込み加工部より折り曲げ図１のような薄板状記憶媒体収納体を作製した。
その後、図６のように無線綴じ製本機で冊子体とした。綴じ込み用端部が一枚であることとミシン目加工部により、フレキシブルとなり冊子体が読み易かった。また、ミシン目から切り離し、出し入れ口のミシン目を切り離すと容易にコンパクトディスクが取り出せた。
【００１９】
＜実施例２＞
実施例１と同様にして図５に示した形態の薄板状記憶媒体収納体を作製した。
その後、図７のように無線綴じ製本機で冊子体とした。綴じ込み用端部が一枚で複数の開口及びミシン目加工部により、さらにフレキシブルとなり冊子体が読み易くなった。
【００２０】
【発明の効果】
請求項１に記載の発明は、綴じ込み用端部が一枚の厚さになり、綴じ込み用端部の剛性が小さくフレキシブルになると共に、切り離しが容易になる。また、出し入れ口のミシン目加工部から切り取ることにより、薄板状記憶媒体を容易に出し入れできる。
【００２１】
請求項２に記載の発明は、小穴により、出し入れ口部分の切り取りが容易になった。
【００２４】
請求項５の発明は、冊子体を読むとき薄板状記憶媒体収納体の存在する影響を小さくすることができる。
【００２５】
【図面の簡単な説明】
【図１】本発明の薄板状記憶媒体収納体の一実施の形態を示す説明図である。
【図２】図１の裏面を示す説明図である。
【図３】本発明の薄板状記憶媒体収納体の一実施の形態を示す展開説明図である。
【図４】図３に貼着部を示した説明図である。
【図５】本発明の薄板状記憶媒体収納体の別の一実施の形態を示す展開説明図である。
【図６】本発明の一実施の形態を示す薄板状記憶媒体を綴じ込んだ冊子体の説明図である。
【図７】本発明の別の一実施の形態を示す薄板状記憶媒体を綴じ込んだ冊子体の説明図である。
【図８】従来の記録媒体収納体を示す説明図である。
【図９】図８の裏面を示す説明図である。
【符号の説明】
１…薄板状記憶媒体収納体  ２…孔開け加工部  ３…筋押し加工部  ４…切り込み加工部  ５…薄板状記憶媒体  ６…綴じ込み用端部  ７、８…ミシン目加工部  ９…小穴  １０…板紙  １１…貼着部  １２…開口  １３…冊子体  １４…記憶媒体収納体  １５…切り込み加工部  １６…コンパクトディスク  １７…切り込み加工部
【図１】
0003858612.tif 000002
【図２】
0003858612.tif 000003
【図３】
0003858612.tif 000004
【図４】
0003858612.tif 000005
【図５】
0003858612.tif 000006
【図６】
0003858612.tif 000007
【図７】
0003858612.tif 000008
【図８】
0003858612.tif 000009
【図９】
0003858612.tif 000010